(57)【要約】【課題】  高い部品精度および組立精度を必要とせず、製造，組立が容易な小型の入力装置を提供することにある。【解決手段】  制御回路が、２つのホール素子３４，３５で検知した信号に基づいて操作ダイヤル５２の回転方向を検出するとともに、前記ホール素子３４，３５のいずれか一方で検知した信号に基づいて前記操作ダイヤル５２の回転量を検出する。【選択図】図５
2005093420.tif 000002
【特許請求の範囲】
【請求項１】
Ｎ極およびＳ極を交互に配置して一体化し、かつ、軸心を中心として回動可能に支持した断面円形の永久磁石と、
前記永久磁石と同一軸心上に配置され、一体に回動する操作ダイヤルと、
前記永久磁石のＮ極およびＳ極の変化に応じてクリック感を前記操作ダイヤルに発生させるクリック感発生手段と、
前記永久磁石の回動に伴う磁界の変化を検知し、検知結果に位相差が生じるように配置された２つの磁気検知手段と、
２つの前記磁気検知手段で検知した信号に基づいて前記操作ダイヤルの回転方向を検出するとともに、前記磁気検知手段のいずれか一方で検知した信号に基づいて前記操作ダイヤルの回転量を検出する制御回路と、
からなることを特徴とする入力装置。
【請求項２】
制御回路が、２つの磁気検出手段のうち、一方の磁気検知手段が磁界の変化を検知した場合に、他方の磁気検知手段を駆動する電源回路をオンするように制御することを特徴とする請求項１に記載の入力装置。
【請求項３】
制御部および表示部を備える電子機器において、
請求項１または請求項２に記載の入力装置が外部から操作可能に設けられ、操作ダイヤルの回転量に基づいて前記制御部が前記表示部の表示制御を行うことを特徴とする電子機器。
【請求項４】
制御部および表示部を備える携帯電話機において、
請求項１または請求項２に記載の入力装置が外部から操作可能に設けられ、操作ダイヤルの回転量に基づいて前記制御部が前記表示部の表示制御を行うことを特徴とする携帯電話機。
【発明の詳細な説明】
【技術分野】
【０００１】
本発明は、例えば、パーソナルコンピュータ等の電子機器および携帯電話機の入力操作面に配置される入力装置、特に、入力操作面における回転操作を検知する入力装置に関する。
【背景技術】
【０００２】
従来、携帯電話機等に設けられている入力装置としては、操作ダイヤルを回転させることにより、表示器（モニター）に映し出された多種多様な情報をスクロールして選択し、決定する機能を備えたものがある。
【０００３】
例えば、１回のクリック感で表示器の画面に映し出された文字表示を１行だけスクロールする場合、１０行をスクロールしようとすると、１０回のクリック感が得られるまで前記操作ダイヤルを回転させる必要がある。
【特許文献１】特開２００２−１５０８９５号公報
【発明の開示】
【発明が解決しようとする課題】
【０００４】
しかしながら、携帯電話は更なる小型化が望まれているとともに、高機能化が進んでいる。このため、前述の入力装置では、表示器に映し出された多種多様な情報をより迅速にスクロールできることが必要となっている。すなわち、１回の限られた回転操作（例えば、回転操作角度６０度）で５回のクリック感を得て５行をスクロールするよりも、１回の限られた回転操作で１０回のクリック感を得て１０行をスクロールできることが望まれている。通常、装置を大型化することなく、前述のように高分解能にしようとすると、例えば、クリック感を発生させるラッチ溝のピッチを小さくする必要がある。特に、１つの操作ダイヤルの回転操作で得られた２つの出力信号に基づき、回転方向と回転量とを検出しようすると、前記ラッチ溝が極端に小さくなる（本願の図１１参照）。この結果、内部構成部品に高い部品精度および組立精度が必要となり、製造，組立が容易でないという問題点がある。
【０００５】
本発明は、前記問題点に鑑み、高い部品精度および組立精度を必要とせず、製造，組立が容易な小型の入力装置を提供することを目的とする。
【課題を解決するための手段および発明の効果】
【０００６】
本発明にかかる入力装置は、Ｎ極およびＳ極を交互に配置して一体化し、かつ、軸心を中心として回動可能に支持した断面円形の永久磁石と、
前記永久磁石と同一軸心上に配置され、一体に回動する操作ダイヤルと、
前記永久磁石のＮ極およびＳ極の変化に応じてクリック感を前記操作ダイヤルに発生させるクリック感発生手段と、
前記永久磁石の回動に伴う磁界の変化を検知し、検知結果に位相差が生じるように配置された２つの磁気検知手段と、
２つの前記磁気検知手段で検知した信号に基づいて前記操作ダイヤルの回転方向を検出するとともに、前記磁気検知手段のいずれか一方で検知した信号に基づいて前記操作ダイヤルの回転量を検出する制御回路と、
からなる構成としてある。
【０００７】
本発明によれば、回転方向は２つの磁気検知手段で検知した信号に基づいて検出するが、回転量はいずれか一つの磁気検知手段で検出する。このため、例えば、クリック感と連動させるために前記操作ダイヤルにラッチ溝を形成する場合であっても、１つの磁気検知手段から出力された信号に対応するようにラッチ溝を形成すればよい。この結果、ラッチ溝の形成に高い部品精度を必要とせず、クリック感発生手段に高い組立精度を必要としない。
【０００８】
本発明の実施形態では、制御回路が、２つの磁気検出手段のうち、一方の磁気検知手段が磁界の変化を検知した場合に、他方の磁気検知手段を駆動する電源回路をオンするようにしてもよい。
【０００９】
本実施形態によれば、一方の磁気検知手段が磁気の変化を検知した場合、すなわち、操作ダイヤルが操作されたときに、他方の磁気検知手段に電力が供給されるので、消費エネルギーの少ない入力装置が得られる。
【００１０】
本発明の他の実施形態としては、制御部および表示部を備える電子機器において、請求項１または請求項２に記載の入力装置が外部から操作可能に設けられ、操作ダイヤルの回転量に基づいて前記制御部が前記表示部の表示制御を行うことを特徴とする電子機器であってもよい。また、本発明の別の実施形態としては、制御部および表示部を備える携帯電話機において、請求項１または請求項２に記載の入力装置が外部から操作可能に設けられ、操作ダイヤルの回転量に基づいて前記制御部が前記表示部の表示制御を行うことを特徴とする携帯電話機であってもよい。
【００１１】
前述の実施形態によれば、ラッチ溝の形成に高い部品精度を必要とせず、クリック感発生手段に高い組立精度を必要としない電子機器、または消費エネルギーが少ない電子機器が得られるという効果がある。
また、ラッチ溝の形成に高い部品精度を必要とせず、クリック感発生手段に高い組立精度を必要としない携帯電話機、または消費エネルギーが少ない携帯電話機が得られるという効果がある。
【発明を実施するための最良の形態】
【００１２】
本発明にかかる入力装置の実施形態を、図１ないし図１２の添付図面に従って説明する。本実施形態にかかる入力装置は、図１および図２に示すように、携帯電話機１１の入力装置１４に適用した場合である。
【００１３】
すなわち、制御部１０を内蔵した前記携帯電話機１１は、ケース本体１２の上面に、表示器（モニター）１３、入力装置１４、および、テンキー１５を配置してある。また、前記ケース本体１２の上端および下端にはスピーカ１６およびマイク１７をそれぞれ設けてある。さらに、前記制御部１０に通信部１８を介して接続されたアンテナ１９が前記ケース本体１２の背面に引き出し可能に取り付けてある。前記入力装置１４は、後述する操作ダイヤル５２、一体型操作ボタン６０の操作部６１，６２を介して外部から操作可能であり、ケース本体１２に取り付けられている。利用者は片手で携帯電話機１１を保持した状態で、テンキー１５および入力装置１４の操作ダイヤル５２、一体型操作ボタン６０を親指で操作できる。
【００１４】
前記制御部１０は、携帯電話機１１全体を制御するものであり、前記入力装置１４の後述する操作ダイヤル５２から入力された回転方向、回転量に関する信号に基づいて表示器１３の画面表示を制御する。例えば、前記制御部１０は、メール文章などの画面表示のスクロール方向，スクロール量を制御し、あるいは、メニュー選択表示のハイライト表示などの移動を制御する。なお、制御部１０と表示器１３との間に表示制御専用の表示制御用ＩＣを設け、前記表示制御用ＩＣで前記表示器１３を制御してもよい。
【００１５】
前記表示器１３は液晶表示器などから構成され、操作メニュー、送受信メール、各種のデータ内容などを前記制御部１０の指示によって表示する。
【００１６】
前記入力装置１４は、ケース本体１２の上面から入力される回転操作を検知するスイッチ機能と、その回転位置での押し下げ操作を検知するスイッチ機能と、左右位置での独立した押し下げ操作をそれぞれ検知するスイッチ機能との合計４種類の複合的な入力機能を備えている。したがって、前記入力装置１４は、利用者の入力操作により、後述する操作ダイヤル５２の回転方向、回転量および押し下げ操作を検出し、あるいは、後述する一体型操作ボタン６０の操作部６１，６２の入力操作を検出するとともに、その検出結果を前記制御部１０に伝える。
【００１７】
また、前記テンキー１５を介して利用者が前記制御部１０に電話番号、その他の文字データの入力情報を入力する。さらに、前記スピーカ１６からは呼出音や音声が出力される一方、マイク１７から前記制御部１０に利用者の音声が入力される。そして、電波の送受信を行うアンテナ１９は通信部１８を介して前記制御部１０と通信データの送受信を行う。
【００１８】
特に、前記入力装置１４は、図３ないし図８に示すように、ベース板２０、フレキシブル基板３０、操作ダイヤルユニット４０、および、一体型操作ボタン６０を順次、積み重ねて一体化したものである。
【００１９】
前記ベース板２０は略方形板状体であり、図５に示すように、対向する２辺の中央に第１起立片２１，２２をそれぞれ略直角に切り起こしてある一方、残る対向する２辺の中央に第２起立片２３，２４をそれぞれ略直角に切り起こしてある。前記第１起立片２１，２２には、後述する操作ダイヤルユニット４０を支持するための第１軸支孔２１ａ，２２ａをそれぞれ設けてある。一方、前記第２起立片２３，２４には、後述する一体型操作ボタン６０を軸支するための第２軸支孔２３ａ，２４ａをそれぞれ設けてある。
【００２０】
フレキシブル基板３０は、前記ベース板２０の第２起立片２３に対応する位置に係止孔３０ａを設けてあるとともに、短辺側縁部の中央に前記第２起立片２４に嵌合する切り欠き部３０ｂを設けてある。また、前記係止孔３０ａの近傍に第１押下検知スイッチ３１を配置するとともに、前記短辺側隅部に第２，第３押下検知スイッチ３２，３３をそれぞれ配置してある。さらに、第１，第２押下検知スイッチ３１，３２の間には、後述する永久磁石５１の磁束を検知する回転情報用第１，第２ホール素子３４，３５を搭載してある。一方、第１，第３押下検知スイッチ３１，３３の間には制御用ＩＣ３６が搭載されている。なお、後述する操作ダイヤル５２の回転方向を検出するとともに、高分解機能を確保するため、第１，第２ホール素子３４，３５は相互に所定量だけずらして位置決めされている。
【００２１】
したがって、前記ベース板２０の一方の第２起立片２３を前記フレキシブル基板３０の係止孔３０ａに挿入するとともに、他方の第２起立片２４を前記フレキシブル基板３０の切り欠き部３０ｂに係合することにより、前記フレキシブル基板３０がベース板２０の所定の位置に位置決めされる。
【００２２】
操作ダイヤルユニット４０は、平面略コ字形状の枠体４１の軸孔４１ａと、前記枠体４１に組み付けた枠止め板４７の軸孔４７aとに、通し軸５０の両端をそれぞれ挿入して回動可能に架け渡したものである。前記通し軸５０には、円筒形の永久磁石５１およびタイヤ状の操作ダイヤル５２を挿通してある。さらに、前記操作ダイヤル５２と前記枠止め板４７との間には、操作感触を得るための感触バネ５４を配置してある。
【００２３】
すなわち、前記枠体４１は、図５および図８に示すように、その両側腕部４２，４３の先端面から係合軸４２ａ，４３ａをそれぞれ同一軸心上に突出している。特に、一方の係合軸４３ａ（図８）は他方の係合軸４２ａよりも長く、前記枠止め板４７を貫通し、さらに、前記ベース板２０の第１起立片２２に設けた第１軸支孔２２ａに挿通可能となっている。また、前記枠体４１は、前記枠止め板４７と対向する外側面に、前記第１起立片２１に設けた第１軸支孔２１ａに挿通可能な係合軸４３ｂ（図８）を、前記係合軸４３ａと同一軸心上に突設してある。さらに、前記枠体４１は、その片側腕部４２の下面中央に操作用突部４２ｂを突設してある。
【００２４】
前記永久磁石５１は、組み込みに適した形状に形成しやすい磁石であり、例えば、磁性粉と樹脂とを混合して任意の形状に成形可能なボンド磁石が挙げられる。そして、図６Ａに示すように、前記永久磁石５１は、その外周面に沿ってＮ極およびＳ極を交互に１２等分（あるいは６等分）とするように配置してある。このため、永久磁石５１の外周面に沿って異極性間に磁界μが発生し、この磁界μの強弱変化および発生数をフレキシブル基板３０に搭載した第１，第２ホール素子３４，３５が非接触で検知する。
【００２５】
なお、前記永久磁石５１は、例えば、図６Ｂに示すように、その環状端面に沿って環状方向にＮ極およびＳ極を交互に１２等分（あるいは６等分）するように配置した円板状のものであってもよい。このような配置とし、環状端面上に異極性間の磁界μの強弱変化と発生数とを発生させることにより、前記永久磁石５１の軸長さを節約でき、小型化できるという利点がある。
【００２６】
前記操作ダイヤル５２は、図７に示すように、その外周面に滑り止め用凹凸面を交互に所定のピッチで形成し、その一側面に操作感触（クリック感）を得るための小径軸部５３を同一軸心上に一体成形してある。前記小径軸部５３の先端面には所定の角度で、前記感触バネ５４に弾性係合する放射状ラッチ溝５３ａを設けてある。
【００２７】
前記感触バネ５４は、図８に示すように、略矩形枠状の板バネを逆Ｖ字形状に折り曲げたものであり、その片側縁部の中央に突き出し加工で突部５４ａを設けてある。前記突部５４ａは、前記操作ダイヤル５２の放射状ラッチ溝５３ａに間欠的に弾性係合することにより、操作者に操作感触（クリック感）を与える。
【００２８】
そして、前記操作ダイヤルユニット４０は、図８に示すように枠体４１の一対の係合軸４３ｂ，４３ａをベース板２０の第１起立片２１，２２に設けた第１軸支孔２１ａ，２２ａにそれぞれ挿入し、回動可能に支持する。このように支持することにより、前記枠体４１の片側腕部４２の下面中央に形成した操作用突部４２ｂが第１押下検知スイッチ３１の直上に位置する。
【００２９】
一体型操作ボタン６０は、図５および図８に示すように、一対の湾曲した操作部６１，６２の両側縁部を連結部６３，６４で連結一体化したものであり、前記操作ダイヤルユニット４０に嵌合可能な平面形状を有している。前記操作部６１，６２の同一方向側の下端面には操作用突部６１ａ，６２ａをそれぞれ突設してある。また、前記連結部６３，６４の対向する外側面には、前記ベース板２０の第２起立片２３，２４に設けた第２軸支孔２３ａ，２４ａに係合する係合軸６３ａ，６４ａが同一軸心上にそれぞれ突設している。
【００３０】
したがって、前記一体型操作ボタン６０の係合軸６３ａ，６４ａを前記ベース板２０の第２起立片２３，２４に設けた第２軸支孔２３ａ，２４ａにそれぞれ挿入する。これにより、前記操作ボタン６０が回動可能に支持されるとともに、その操作用突部６１ａ，６２ａが第２，第３押下検知スイッチ３２，３３の真上にそれぞれ位置決めされる。
【００３１】
次に、前記第１，第２ホール素子３４，３５と制御用ＩＣ３６との接続について説明する。
図９に示すように、前記第１，第２ホール素子３４，３５はいずれも制御用ＩＣ３６に接続されている。特に、前記第１ホール素子３４は、制御用ＩＣ３６の第１チャンネル７０を介して第１出力回路７１から出力するように接続されている。一方、第２ホール素子３５は、第２チャンネル７２を介して第２出力回路７３から出力するように接続されている。さらに、前記第１チャンネル７０および第１出力回路７１には、タイミング回路７４がそれぞれ接続されているとともに、第２チャンネル７２および第２出力回路７３もタイミング回路７４に接続されている。前記タイミング回路７４は制御システム回路（ＯＳＣ）７５にも接続されている。
【００３２】
前記タイミング回路７４は第１チャンネル７０、第１出力回路７１、第２チャンネル７２、第２出力回路７３の動作タイミングを制御している。
すなわち、第１チャンネル７０は、永久磁石５１の磁気をサンプリングするタイミングで第１ホール素子３４の第１−ＩＮＰと第１−ＩＮＮとの間に駆動電圧を供給する。駆動電圧が供給された第１ホール素子３４は、第１−ＯＵＴＰと第１−ＯＵＴＮとの間に磁気に応じたホール電圧を出力する。同様に、第２チャンネル７２は、磁気サンプリングするタイミングで、第２ホール素子３５の第２−ＩＮＰと第２−ＩＮＮとの間に駆動電圧を供給する。駆動電圧が供給された第２ホール素子３５は、第２−ＯＵＴＰと第２−ＯＵＴＮとの間に磁気に応じたホール電圧を出力する。駆動電圧が供給されていない場合には、第１ホール素子３４および第２ホール素子３５はホール電圧を出力しない。そして、前記タイミング回路７４は、第１ホール素子３４からサンプリングするときのみ、第１チャンネル７０と第１出力回路７１とを駆動し、それ以外は駆動しない。また、タイミング回路７４は、第２ホール素子３５でサンプリングするときのみ、第２チャンネル７２と第２出力回路７３とを駆動し、その場合以外は駆動しない。
【００３３】
図１０のフローチャートに基づいて制御方法を説明する。
まず、スタートしてステップＳ１において第１チャンネル７０からの出力信号をサンプリングし、ついで、ステップＳ２で変化があったか否かを判断し、変化がなければ、ステップＳ１に戻る。ステップＳ１〜Ｓ２〜Ｓ１がαｍｓｅｃ間隔で繰り返されることにより、αｍｓｅｃ周期で第１チャンネル７０からの出力信号のサンプリングが行われる。ステップＳ２で変化があれば、ステップＳ３に進む。ステップＳ３では、図示しないタイマーをスタートさせ、ステップＳ４に進む。ステップＳ４では第２チャンネル７２から出力信号をサンプリングし、ステップＳ５で第１，第２チャンネル７０，７２からサンプリングした出力信号を出力し、ステップＳ６に進む。ステップＳ６においてβｍｓｅｃ後に第１チャンネル７０から出力信号をサンプリングし、ステップＳ７で変化があったか否かを判断し、変化があった場合は、ステップＳ８でタイマーをリセットし、タイマーを再スタートさせ、変化がない場合は、そのままステップＳ９に進む。ステップＳ９においてタイマーの累積カウント時間がγｍｓｅｃ経過したかどうかを判断し、経過していなければ、ステップＳ４に戻る。ステップＳ４〜Ｓ５〜Ｓ６〜Ｓ７（〜Ｓ８）〜Ｓ９〜Ｓ４がβｍｓｅｃ間隔で繰り返されることにより、βｍｓｅｃ周期で第１チャンネル７０，第２チャンネル７２からの出力信号のサンプリングが行われる。ステップＳ９においてタイマーの累積カウント時間がγｍｓｅｃ経過していれば、ステップＳ１に戻り、以後同様な処理が行われる。
【００３４】
前述の構成からなる入力装置の操作方法について説明する。
利用者が操作ダイヤル５２の上面に軽く接した状態でこれを回すと、前記操作ダイヤル５２と一体な永久磁石５１も同一方向に回転する。このため、永久磁石５１のＮ極およびＳ極から交互に表れる磁界μの強弱変化や発生数を第１，第２ホール素子３４，３５が検知し、制御ＩＣ３６が矩形波の電気信号に変換し（図１１）、以下のように処理して操作ダイヤル５２の回転方向および回転量を検出する。
【００３５】
例えば、Ｎ極からＳ極に変化する間の時間を一周期、すなわち、ラッチング溝５３ａに落ち込んだラッチングバネ５４の突部５４ａが隣のラッチング溝５３ａに再び落ち込むまでの時間を１周期とする。一方、第１ホール素子３４および第２ホール素子３５の検出が１／４周期だけずれるにようにフレキシブル基板３０に配置する。そして、操作ダイヤル５２を回転させると、図１１に示すタイムチャートのように、まず最初に第１ホール素子３４の出力に対応する矩形波が出力された後、１／４周期ずれて第２ホール素子３５の出力に対応する矩形波が出力され、前述のフローチャートに基づいて制御が行われる。
【００３６】
すなわち、ステップＳ１において、第１チャンネル７０からの出力信号をサンプリングし、ついで、ステップＳ２で出力に変化があったか否かを判断する。ステップＳ１およびステップＳ２のときは、第１チャンネル７０のみが動作し、第２チャンネル７２と、図示しないタイマーは動作していない。ステップＳ２で変化がないと判断されれば、ステップＳ１に戻り、変化があるまでαｍｓｅｃ周期でサンプリングを繰り返す。ステップＳ２で変化があれば、ステップＳ３に進む。ステップＳ３では、図示しないタイマーをスタートさせ、ステップＳ４に進む。ステップＳ４では、第２ホール素子３５を動作させて得られた出力信号に対して第２チャンネル７２がサンプリングを行い、ステップＳ５で第１，第２チャンネル７０，７２からサンプリングした結果を出力し、第１，第２ホール素子３４，３５の出力順序を解析することにより、操作ダイヤル５２の回転方向が正逆いずれの回転方向であるかを判別する。
【００３７】
次に、ステップＳ６で、第１ホール素子３４からの出力信号をβ（＜α）ｍｓｅｃ後にサンプリングし、ステップＳ７で、第１チャンネル７０のサンプリング結果が変化したかどうかを判断する。変化があった場合は、ステップＳ８に進み、図示しないタイマーをリセットし、タイマーを再スタートしてステップＳ９に進む。ステップＳ７で変化がないと判断された場合は、タイマーをリセットすることなくステップＳ９に進む。ステップＳ９で、タイマーの累積カウント時間がγｍｓｅｃを越えているか否かを判断し、超えていなければ、ステップＳ４に戻る。ステップＳ４〜Ｓ５〜Ｓ６〜Ｓ７（〜Ｓ８）〜Ｓ９〜Ｓ４がβｍｓｅｃ間隔で繰り返されることにより、βｍｓｅｃ周期で第１チャンネル７０，第２チャンネル７２からの出力信号のサンプリングが行われ、サンプリングした結果を出力する。第１チャンネ７０の信号出力に基づいて、操作ダイヤル５２の回転量を検出する。サンプリング周期β（<α）ｍｓｅｃは利用者が操作ダイヤル５２を最も早く回転させた場合の最大速度を基準とし、長くとも１／４周期よりも短い時間となっている。
ステップＳ９においてタイマーの累積カウント時間がγｍｓｅｃを超えていれば、ステップＳ１に戻る。第１ホール素子３４の出力信号が累積カウント時間γｍｓｅｃの間、変化しない場合があれば、操作ダイヤル５２が操作されていないことを意味する。したがって、その場合はステップＳ１に戻って、αｍｓｅｃ周期の第１チャンネルのみのサンプリング処理から再度開始する。
以後、同様の処理を行うことにより、操作ダイヤル５２の回転方向および回転量を検出し、検出結果を携帯電話の表示器１３に出力し、ハイライト表示のスクロールとして反映される。このため、表示器１３の表示に従って入力装置１４を操作し、第１，第２，第３押下検知スイッチ３１，３２，３３を適宜オンすればよい。
なお、前述の回転方向の判別や回転量の検出は、制御用ＩＣ３６で行ってもよいし、制御用ＩＣ３６の出力信号に基づいて、制御用ＩＣ３６の外部で行ってもよい。例えば、携帯電話機１１の制御部１０で行ってもよい。すなわち、回転方向の判別や回転量（あるいは回転速度）の算出を入力装置１４のユニット内で行うか、入力装置１４のユニット外で行うかは、本発明の権利範囲を限定するものではない。
【００３８】
本実施形態によれば、操作ダイヤル５２の回転量を検出する場合には、第１ホール素子３４および第２ホール素子３５の両方の出力を基準に回転量を検出せず、第１ホール素子３４の出力だけを基準としている。このため、例えば、１周期毎に１クリックを得ようとすれば、図１１に示すように、ラッチ溝の巾寸法、ピッチを第１ホール素子３４の出力信号に基づく矩形波のうち、Ｌｏｗ部分だけに対応するように形成すればよい。この結果、本実施形態によれば、高い寸法精度のラッチ溝を必要とせず、内部構成部品の製造が簡単になるので、生産性が高く、安価で小型の入力装置を得られるという利点がある。
【００３９】
本実施形態では、第１ホール素子３４および第２ホール素子３５を間欠駆動するので、消費電力を節約できる。
また、第１ホール素子３４の出力が変化したときだけ、第２ホール素子３５を駆動してサンプリング動作させれば、消費電力をより一層節約できるという利点がある。例えば、図１０に示すフローチャートに基づいて説明すると、ステップＳ１で第１チャンネル７０からサンプリングする際に、タイミング回路７４が、第１チャンネル７０、第１出力回路７１を駆動し、第１ホール素子３４を駆動して出力を得る。そして、ステップＳ２で第１ホール素子３４の出力に変化がなければ、ステップＳ１に戻り、αｍｓｅｃ周期で第１チャンネル７０からサンプリングする。ついで、第１ホール素子３４の出力に変化がある場合に、ステップＳ３で図示しないタイマーをスタートさせ、ステップＳ４でタイミング回路７４が第２チャンネル７２および第２出力回路７３を駆動し、第２ホール素子３５を駆動して第２チャンネル７２の出力を得る（図１２参照）。その後、βｍｓｅｃ周期で第１チャンネル７０および第２チャンネル７２からのサンプリングを行い、第１ホール素子３４の出力信号がγｍｓｅｃの間変化しなければ、操作ダイヤル５２の回転操作が止まったとみなし、αｍｓｅｃ周期での第１チャンネル７０のみのサンプリング処理へ戻ることにより、再び消費電力を節約できる（なお、図１２では説明のために簡略化して図示しているが、実際はγｍｓｅｃ>>βｍｓｅｃである。）。
【００４０】
なお、図１１においては、説明の便宜上、第１ホール素子３４と第２ホール素子３５とが常にＨｉｇｈとＬｏｗとを出力するように図示されている。しかし、本願請求項２に記載の発明にかかる回路であれば、サンプリング周期のみ信号が出力される。このため、請求項２にかかる発明に合致するように厳格に図示すれば、「第１ホール素子の出力」および「第２ホール素子の出力」は点線でそれぞれ図示され、サンプリング周期の場合のみ黒点として表れる。
【００４１】
前記磁気検出手段は前述のホール素子３４，３５であってもよいが、出力制御回路を組み込んだホールＩＣであってもよい。また、２つのホール素子（ＩＣ）を１つにパッケージしておいてもよく、あるいは、２つのホール素子（ＩＣ）と制御用ＩＣとを１つにパッケージしておいてもよい。
【００４２】
また、前述の実施形態では、１周期ごとに１回のクリックを得られるだけでなく、半周期ごとに１回のクリックを得られるようにしてもよい。このように構成すれば、永久磁石５１の製造が容易になるという利点がある。
【００４３】
さらに、ラッチ溝の溝数をそのままにし、例えば、Ｎ極／Ｓ極の密度を２倍、すなわち、円柱磁石１周（３６０度）当たり、Ｎ極／Ｓ極の組数を２倍にしてもよい。これによって、２周期（Ｎ極／Ｓ極の２組分）で前述の実施形態と同一回転量となり、１クリック感が得られる。この場合、磁気変化の回数を検出後に制御で間引きし、表示器におけるスクロール量を２周期で前述の１クリック分のスクロール量とすると、１周期で１クリック感を得る場合と同様なスクロール量となるので、操作者が違和感を感じることはない。
【産業上の利用可能性】
【００４４】
本発明にかかる入力装置は携帯電話機だけでなく、パーソナルコンピュータなどの電子機器においても適用できる。
【図面の簡単な説明】
【００４５】
【図１】本発明にかかる入力装置を組み込んだ携帯電話機の正面図である。
【図２】図１で示した携帯電話機のブロック図である。
【図３】図１で示した入力装置単体の斜視図である。
【図４】図３で示した入力装置から一体型操作ボタンを取り外した状態を示す斜視図である。
【図５】図３で示した入力装置の分解斜視図である。
【図６】図６Ａは図５で示した永久磁石の斜視図、図６Ｂは他の変形例の永久磁石を示す斜視図である。
【図７】図３で示した入力装置の拡大分解斜視図である。
【図８】図３で示した入力装置の異なる角度から見た場合の分解斜視図である。
【図９】本発明にかかる入力装置の配線図である。
【図１０】本発明の動作を説明するためのフローチャートである。
【図１１】本発明および従来例の動作を説明するためのタイムチャートである。
【図１２】本発明の動作を説明するためのタイムチャートである。
【符号の説明】
【００４６】
１０：制御部
１１：携帯電話機
１２：ケース本体
１３：表示器
１４：入力装置
１５：テンキー
１６：スピーカ
１７：マイク
１８：通信部
１９：アンテナ
２０：ベース板
３０：フレキシブル基板
３１，３２，３３：第１、第２、第３押下検知スイッチ
３４，３５：ホール素子
３６：制御用ＩＣ
４０：操作ダイヤルユニット
４１：枠体
４２，４３：腕部
４２ｂ：操作用突部
５０：通し軸
５１：永久磁石
５２：操作ダイヤル
５３：小径軸部
５３ａ：放射状ラッチ溝
５４：感触バネ
６０：一体型操作ボタン
６１ａ，６２ａ：操作用突部
【図１】
2005093420.tif 000003
【図２】
2005093420.tif 000004
【図３】
2005093420.tif 000005
【図４】
2005093420.tif 000006
【図５】
2005093420.tif 000007
【図６】
2005093420.tif 000008
【図７】
2005093420.tif 000009
【図８】
2005093420.tif 000010
【図９】
2005093420.tif 000011
【図１０】
2005093420.tif 000012
【図１１】
2005093420.tif 000013
【図１２】
2005093420.tif 000014